(57)【要約】【課題】自分自身に送信する際に煩雑な操作を省くことができ使い勝手の向上に大きく寄与するとともに、秘密裏に重要な画像情報が送信されるようなセキュリティーホールを防ぐこともできる画像送信装置を提供する。【解決手段】所定の送信宛先に画像を送信する画像送信装置であって、送信すべき画像を入力する入力手段と、ユーザ認証により管理者権限を認証する管理者認証手段と、前記管理者認証手段による認証が成功した場合に、当該認証に応じた送信宛先情報を送信宛先として自動的に設定する送信宛先情報設定手段と、前記画像を送信すべき送信宛先を指定する送信宛先指定手段と、前記送信宛先指定手段によって指定された前記送信宛先及び前記送信宛先情報設定手段で設定された送信宛先情報に応じた送信宛先に前記画像を送信する送信手段と、を備えることを特徴とする画像送信装置を提供する。【選択図】図２
2010220256.tif 000002
【特許請求の範囲】
【請求項１】
所定の送信宛先に画像を送信する画像送信装置であって、
送信すべき画像を入力する入力手段と、
ユーザ認証により管理者権限を認証する管理者認証手段と、
前記管理者認証手段による認証が成功した場合に、当該認証に応じた送信宛先情報を送信宛先として自動的に設定する送信宛先情報設定手段と、
前記画像を送信すべき送信宛先を指定する送信宛先指定手段と、
前記送信宛先指定手段によって指定された前記送信宛先及び前記送信宛先情報設定手段で設定された送信宛先情報に応じた送信宛先に前記画像を送信する送信手段と、
を備えることを特徴とする画像送信装置。
【発明の詳細な説明】
【技術分野】
【０００１】
本発明は、画像送信装置及び方法に関し、より詳しくは、特定の送信宛先を効率よく決定できる画像送信装置及び方法に関するものである。
【背景技術】
【０００２】
従来の画像送信装置の中には、宛先を簡便に指定する手順としてワンタッチボタンなどによりボタンに登録された宛先を指定したり、固定的に自動的に反映される宛先を設定するものがあった。
【０００３】
このような装置のうちファクシミリ装置としては、例えば、特許文献１に記載されたものがある。これは、誤った宛先入力操作によって誤った通信が行われるのを有効に防止することを目的としており、発呼する相手先を同一の方法または異なる方法で複数回入力する機能を有する。これは、入力された複数の相手先情報が相互に一致した時にのみ発呼動作を行い、複数の相手先情報が一致していない時は、その旨を表示し、発呼動作を行わないようにしたものである。例えば、原稿に記載した電話番号を読み取る方法と各種操作キーによって電話番号を入力する方法とを組み合わせることにより、２つの入力番号を照合して間違いのない通信を行っている。また、操作キーのうちのテンキーにより入力する方法とワンタッチまたは短縮ボタンにより入力する方法とを組み合わせる方法も行われている。
【先行技術文献】
【特許文献】
【０００４】
【特許文献１】特開平７−１５４５６３号公報
【発明の概要】
【発明が解決しようとする課題】
【０００５】
しかし、上述のような従来技術では、認証により使用者を特定しても前記ワンタッチボタンの設定は変更されず、使用者は自分自身が使う複数のワンタッチボタンの中から選び出さなければならなかった。
【０００６】
また、固定的に自動的に反映される宛先を設定する従来技術では、やはり認証者によって自動的に反映したい宛先が異なっていてもそれを実現することはできなかった。
【０００７】
本発明は前述のような問題点を解決するためになされたものであり、例えば、操作者が自分自身に送信する際に煩雑な操作を省くことができ使い勝手の向上に大きく寄与することができる画像送信装置及び方法を提供するものである。また、秘密裏に重要な画像情報が送信されるようなセキュリティーホールを防ぐこともできる画像送信装置及び方法を提供するものである。
【課題を解決するための手段】
【０００８】
上記課題を解決するために、本発明による画像送信装置は、所定の送信宛先に画像を送信する画像送信装置であって、送信すべき画像を入力する入力手段と、ユーザ認証により管理者権限を認証する管理者認証手段と、前記管理者認証手段による認証が成功した場合に、当該認証に応じた送信宛先情報を送信宛先として自動的に設定する送信宛先情報設定手段と、前記画像を送信すべき送信宛先を指定する送信宛先指定手段と、前記送信宛先指定手段によって指定された前記送信宛先及び前記送信宛先情報設定手段で設定された送信宛先情報に応じた送信宛先に前記画像を送信する送信手段と、を備えることを特徴とする。
【０００９】
さらなる本発明の特徴は、以下本発明を実施するための最良の形態および添付図面によって明らかになるものである。
【発明の効果】
【００１０】
以上説明したように本発明によれば、ユーザ認証を行うことにより認証者が欲する宛先を反映し、認証に応じて設定された送信宛先を簡便に指定することができる。そのため、煩雑な操作を省くことができ使い勝手の飛躍的向上に大きく寄与する。また、秘密裏に重要な画像情報が送信されるようなセキュリティーホールを防ぐこともできる。
【図面の簡単な説明】
【００１１】
【図１Ａ】各実施形態に係る画像読取通信装置１００の構成を示すブロック図である。
【図１Ｂ】画像読取送信装置のネットワーク接続構成を示すブロック図である。
【図２】第１の実施形態の動作を説明するためのフローチャートである。
【図３】第２の実施形態の動作を説明するためのフローチャートである。
【図４】第３の実施形態において、画像読取送信装置を認証により使用者を特定して使用する場合の、使用者毎の固定設定を画像読み取り送信装置に保存するためのフローチャートである。
【図５】第３の実施形態の主動作を説明するためのフローチャートである。
【図６】第４の実施形態において、画像読取送信装置を認証により使用者を特定して使用する場合の、機器の固定設定を画像読み取り送信装置に保存するためのフローチャートである。
【図７】第４の実施形態の主動作を説明するためのフローチャートである。
【図８】画像読取通信装置の送信設定画面を示す図である。
【図９】第５の実施形態の主動作を説明するためのフローチャートである。
【発明を実施するための形態】
【００１２】
＜第１の実施形態＞
図面を参照して本発明に係る第１の実施形態について詳細に説明する。
【００１３】
図１Ａは、第１の実施形態に係る画像読取送信装置１００の構成を示すブロック図である。画像読取送信装置１００は、スキャナ、プリンタなどを搭載し、コピー機能、ＦＡＸ送受信機能、コンピュータ上で作成されたデータを印刷するプリンタ機能などを備える。この画像読取送信装置の主要部は、中央処理装置１０１、主記憶装置１０２、表示装置１０３、入力装置１０４、外部記憶装置１０５、印刷装置１０６、画像読み取り装置１０７、ネットワーク装置１０８で構成されている。画像読取送信装置１００は、ＩＥＥＥ１２８４準拠のパラレルインタフェース、ＵＳＢなどのＰＣＩ／Ｆ回路を有するフォーマッタ部を備えてもよい。フォーマッタ部は、ＰＣＩ／Ｆ回路又はネットワークＩ／Ｆ回路で受信したパソコンからのＰＤＬデータより画像データを作成し中央処理装置１０１で画像処理を行い、印刷装置１０６で印刷するレンダリング回路である。また、画像読取送信装置１００は、電話回線と接続しＮＣＵ（Network Control Unit）、ＭＯＤＥＭ（MOdulator／DEModulator）などの回路で構成されるファクスＩ／Ｆ回路を備えてもよい。画像読み取り装置１０７で読み取られた画像データは、中央処理装置１０１で画像処理され、電話回線を経由して他のＦＡＸに送信される。或いは、他のＦＡＸから送信されたデータを受信して、中央処理装置１０１で画像処理を行って印刷装置１０６で印刷するように動作する。印刷装置１０６、画像読み取り装置１０７、中央処理装置１０１は、中央処理装置１０１からのＣＰＵバスとは別の高速ビデオバスで接続され、画像データを高速に転送できるように構成される。画像読み取り装置１０７で読み取られた画像データは、中央処理装置１０１で画像処理され、印刷装置１０６で読み取った画像を印刷することによりコピー機能が実現されている。画像読取送信装置１００には、印刷装置１０６で読み取った画像データを中央処理装置１０１で画像処理して、ネットワーク装置１０８からネットワーク２００上に送信するＳｅｎｄ機能がある。画像読取送信装置１００には、また、中央処理装置１０１でＲＦＣ２３０１に従った画像を作成し、電子メールプロトコルでデータを送受信するＩＦＡＸ機能がある。
【００１４】
中央処理装置１０１は、主記憶装置１０２、表示装置１０３、入力装置１０４、外部記憶装置１０５、印刷装置１０６、画像読み取り装置１０７、ネットワーク装置１０８を制御し、また四則演算、論理演算を受け持っている。中央処理装置１０１はまた、大容量の画像メモリ、画像回転回路、解像度変倍回路、ＭＨ、ＭＲ、ＭＭＲ、ＪＢＩＧ、ＪＰＥＧなどの符号／復号化回路を含む。中央処理装置１０１は、主記憶装置１０２に格納されているプログラムを利用して、シェーディング、トリミング、マスキングなどの各種画像処理も実行することができる。
【００１５】
主記憶装置１０２は、ＳＣＳＩ、ＵＳＢなどのネットワークＩ／Ｆで接続される大容量記録媒体であり、ハードディスクだけでなくMOなどの記録媒体であってもよい。また、主記憶装置１０２は、画像読取送信装置１００が所定の情報処理を行う上で必要な情報を記憶し、必要に応じて取り出すことができるようになっている。ネットワークＩ／Ｆとしては、１０ＢＡＳＥ−Ｔ、１００ＢＡＳＥ−Ｔを代表とするイーサネット(登録商標)あるいはトークンリングなどのネットワーク回線と接続するためのネットワークデータリンクを実行する回路を用いることができる。
【００１６】
表示部としての表示装置１０３は、図形や文字等の処理した結果を表示するものでタッチパネルディスプレイが設置されている。
【００１７】
入力装置１０４は、中央処理装置１０１への種々の入力（例えば、所定の動作を行うように指示を与える）を行うものであり、キーボード、タッチパネルが設置されている。入力装置１０４は、ＬＣＤ上にソフトウェアを利用してボタンを表示し、ユーザが指などでボタンをタッチすることを検出してユーザオペレーションを円滑に実行することができる。
【００１８】
外部記憶装置１０５は各種情報を記憶するメモリで、例えば磁気記憶装置や光磁気記憶装置等がある。この外部記憶装置１０５は、スキャンした画像、受信した画像などの画像データを保存することができる。そして、外部記憶装置１０５に保存された画像データは印刷装置１０６によって印刷させたり、または手動送信手順によって送信指示することにより送信させることができる。
【００１９】
印刷装置１０６は、電気的画像データを記録紙に印刷する回路である。電気的画像データに応じたレーザ光をレーザ発光部から発光させ、このレーザ光が感光ドラム照射され、感光ドラム上にレーザ光に応じた潜像が形成される。感光ドラムの潜像の部分には、現像器によって現像剤が付着され、レーザ光の照射開始と同期したタイミングで、給紙カセットから記録紙を給紙して転写部搬送し、感光ドラムに付着された現像剤を記録紙に転写する。現像剤の乗った記録紙は定着部に搬送され、定着部の熱と圧力により現像剤は記録紙に定着される。定着部を通過した記録紙は排出ローラによって排出され、ソータは排出された記録紙をそれぞれのビンに収納して記録紙の仕分けを行う。
【００２０】
画像読み取り装置１０７は、原稿の画像データを光電変換により電気データに変換する回路である。原稿給送装置から原稿をプラテンガラス上へ搬送し、原稿がプラテンガラス上に搬送されると、ランプを点灯する。そして、スキャナユニットの移動を開始し、原稿を露光走査する。原稿からの反射光は、ミラー及びレンズによってＣＣＤイメージセンサへ導かれ、電気信号に変換され、Ａ／Ｄ変換回路によってデジタルデータに変換される。原稿の読み取り動作終了後、プラテンガラス上の原稿は排紙される。
【００２１】
また、外部記憶装置１０５には、認証データとしてユーザ名とパスワードとユーザのメールアドレスが保存されている。そして、この認証データに基づいて認証する図２の認証サーバ１０９に通信可能に接続される。認証サーバ１０９への認証は、例えばＲＦＣ１５１０として標準化された、ネットワークアプリケーション階層プログラムのKerberosを用いた認証方法を用いることができる。この認証方法では、まず、クライアントである画像読取送信装置１００からKEB_AS_REQ（Kerberos認証サービスリクエスト）が認証サーバ１０９へ送られ、正当なユーザであるか問い合わせが実行される。そして、KEB_AS_REP（Kerberos認証サービス返信）として暗号化されたログオンセッションキー、クライアント認証データが画像読取送信装置１００に返される。このデータよりKEB_TRG_REQ（Kerberosチケット認可サービスリクエスト）が作られ、認証サーバ１０９に資格情報のリクエストが実行される。認証サーバ１０９からKEB_TRG_REP（Kerberosチケット認可サービス返信）として、暗号化されたクライアント認証データが返される。このデータよりKEB_AP_REQ（Kerberosアプリケーションリクエスト）が作成され、認証サーバ１０９にサービス利用許可を求める。認証サーバ１０９からKEB_AP_REP（Kerberosアプリケーション返信）としてデータが返され、返されたデータが正常でかつ返信データ内の時刻データが同一である場合は、認証ＯＫと判断される。
【００２２】
なお、３つのリクエストを同一の認証サーバで行った例を用いて説明したが、ネットワークの構成などにより複数のサーバを使ってもよく、認証方式もＤＨ認証など他の認証方式でも可能である。
【００２３】
図１Ｂは、第１の実施形態に係る画像読取送信装置のネットワーク接続構成を示すブロック図である。画像読取送信装置１００ａ、１００ｂは、ドメイン名xyz.co.jpのネットワークに接続され、認証サーバ１０９、ＭａｉｌサーバやＰＯＰサーバ１１０、クライアントＰＣ１１１などの複数のコンピュータやネットワーク機器と接続されている。このネットワークは、さらには全世界に広がるインターネット網１１２と接続され、ＭａｉｌサーバやＰＯＰサーバ１１３、クライアントＰＣ１１４、インターネットＦＡＸ１１５などが接続されたabc.co.jpというネットワークにも接続されている。
【００２４】
画像読取送信装置１００ａはcopy１.xyz.co.jpというＨＯＳＴ名とifax@copy１.xyz.co.jpという機器固有の電子メールメールアドレスが付与される。画像読取送信装置１００ｂはcopy２.xyz.co.jpというＨＯＳＴ名とifax@copy２.xyz.co.jpという機器固有の電子メールアドレスが付与されている。
【００２５】
認証サーバ１０９は、このドメイン内のユーザ認証を行うための認証サーバであり、このドメイン内で有効なユーザ名、パスワードが登録されている。クライアントＰＣ１１１の電源を立ち上げると、ユーザ名、パスワード入力が求められる。ユーザ名、パスワードが入力されると、認証サーバ１０９に対してユーザ名、パスワードが一致しているかどうか問い合わせ、ユーザとして登録されている場合には、認証したユーザ名でクライアントＰＣ１１１が使用できる状態となる。ＰＣ１１１には、汎用電子メールソフトがインストールされており、syain１@xyz.co.jpというメールアドレスが付与されている。Ｍａｉｌサーバ、ＰＯＰサーバ１１０は、ＭａｉｌサーバとＰＯＰサーバの双方の機能を備えたサーバであり、Ｍａｉｌサーバ、ＰＯＰサーバ１１３も同様の機能を有する。
【００２６】
クライアントＰＣ１１１から電子メールをpcmail@abc.co.jp宛に送信する場合には、電子メールデータは、Ｍａｉｌサーバ１１０にＳＭＴＰ（Simple MailTransfer Protocol）プロトコルで配送される。そして、電子メールデータは、Ｍａｉｌサーバ１１０からＭａｉｌサーバ１１３へＳＭＴＰプロトコルでインターネット網１１２を経由して配送され、pcmail@abc.co.jpのメールＢＯＸに格納される。
【００２７】
クライアントＰＣ１１４にも汎用電子メールソフトがインストールされる。クライアントＰＣ１１４は、ＰＯＰ３（Post Office Protocol-Version ３）プロトコルを用いてＰＯＰサーバ１１３に存在するpcmail@abc.co.jpのメールＢＯＸに電子メールが届いているか一定間隔で監視する。クライアントＰＣ１１４は、ＰＯＰサーバ１１３にメールが届いている場合はメールデータを受信する。
【００２８】
クライアントＰＣ１１４のpcmail@abc.co.jpからクライアントＰＣ１１１のsyain１@xyz.co.jpにメールを送る場合は、逆のルートをたどる。ＰＣ１１４の汎用電子メールソフトで作成されたメールデータは、Ｍａｉｌサーバ１１３により中継され、Ｍａｉｌサーバ１１０に送られ、ＰＯＰサーバ１１０のsyain１@xyz.co.jpのメールＢＯＸにデータが格納される。
【００２９】
クライアントＰＣ１１１は、syain１@xyz.co.jpのメールＢＯＸからＰＯＰ３プロトコルで届けられたメールデータを取得するように動作する。
【００３０】
画像読取送信装置１００ａ、１００ｂには、Ｅｍａｉｌ送信モードとＩＦＡＸ送信モードが存在する。Ｅｍａｉｌ送信モードは、ＦＡＸ、ＩＦＡＸ受信機能で受信した画像及びスキャナで読み取った白黒／カラー画像を一般の電子メール宛先に送ることを前提として送信するモードである。ＩＦＡＸ送信モードは、ＩＦＡＸ規格に従った装置に送信することを前提としたモードである。送信／受信にはＳＭＴＰ、ＰＯＰ３が使われ、上記説明したクライアントＰＣ１１１、クライアントＰＣ１１４の送信／受信と同様の動作を行う。
【００３１】
Ｅｍａｉｌ送信モードでは、スキャナでカラー画像が読み取られた場合には、ＪＰＥＧフォーマット又はＰＤＦ（Portable Document Format）ファイルの画像を送信する。また、白黒画像が読み込まれた場合は、ＴＩＦＦ、ＰＤＦの画像を送信することができる。syain１@xyz.co.jpのメールアドレスに送信した場合には、クライアントＰＣ１１１がＰＯＰ３プロトコルでメールを受信し、汎用画像ビューアで画像を表示することができる。
【００３２】
ＩＦＡＸ送信モードでは、スキャナで読み取られた画像はＲＦＣ２３０１に従ったＴＩＦＦ形式の画像としてＩＦＡＸ規格に従った画像読取送信装置１００ａ、１００ｂやインターネットＦＡＸ１１５に対しＳＭＴＰ、ＰＯＰ３プロトコルで送信される。送信機のスキャナあるいはＦＡＸ、ＩＦＡＸ受信機能で受信された画像データは、遠隔地の受信機で受信され、受信した画像はプリンタで印刷される。
【００３３】
画像読取送信装置のネットワークプログラムは、ＩＰ、ＴＣＰ／ＵＤＰ、アプリケーション階層のプログラムの３階層に大別される。
【００３４】
ＩＰは、発信ホストから宛先ホストヘルータなどの中継ノードと連携しながらメッセージを送り届けるサービスを提供するインターネットのプロトコル階層である。ＩＰではデータを送信する発信先のアドレス、データを受信する宛先のアドレスを管理し、データをアドレス情報に従ってネットワーク内をどのような経路で宛先ホストまで届けるかを管理するルーティング機能を実行している。
【００３５】
ＴＣＰ／ＵＤＰは、発信アプリケーションプロセスから受信アプリケーションプロセスにメッセージを送り届けるサービスを提供するトランスポート階層である。ＴＣＰはコネクション型サービスであって、通信の高度な信頼性を保証するが、ＵＤＰはコネクションレス型のサービスであり信頼性の保証を行わない。
【００３６】
アプリケーション階層のプロトコルは、複数のプロトコルを規定する。このプロトコルには、ＦＴＰ、ＳＮＭＰ、ＬＰＤ、ＨＴＴＰｄ、ＳＭＴＰ、ＰＯＰ３、ＬＤＡＰなどが存在する。また、ＲＦＣ１５１０で規定されているKerberos認証プログラムも搭載されている。
【００３７】
図２のフローチャートを用いて第１の実施形態の画像読取送信装置の動作を説明する。なお、以下の動作の制御を実行するのは中央処理装置１０１である。
【００３８】
画像読取送信装置１００、１００ｂは、主電源が投入されると、メモリ、Ｉ／Ｏポートの初期化などのイニシャライズ動作を実行し、システムユーザ設定で「ユーザ認証」が「する」に設定されているとログイン処理が実行される。この状態では、コピーなどユーザのオペレーションが介在する処理は実行することができず、入力装置１０４ではユーザ名を入力する画面になっている。ログイン処理が実行されると、本実施形態の画像読取送信装置の動作が開始される。
【００３９】
まず、ステップＳ２０１では、図１Ａの画像読取送信装置１００を使用するための使用権を認証するユーザ名とパスワードが入力装置１０４より入力され、ステップＳ２０２において認証サーバ１０９により認証動作が実行される。認証サーバ１０９は、ユーザ名、パスワード及び電子メールアドレスを含むユーザ情報とその内容を参照・編集するプログラムに従って認証動作を実行する。ここで、ユーザ名は、認証サーバ１０９が受け持つxyz.co.jpというドメイン、プリンシパル内のコンピュータが使えるユーザ名を示す。また、パスワードは、各ユーザ名に対応させて登録されているが、容易に見えないように＊＊＊＊＊などで表示がされている。電子メールアドレスは、登録されたユーザが使用できる電子メールアドレスが登録されている。
【００４０】
ステップＳ２０３において、ステップＳ２０２で実行された認証が成功したかどうか、すなわち、入力したユーザ名、パスワードが認証サーバ１０９に登録されているユーザ名、パスワードと一致するか否かを判断する。認証が成功すればステップＳ２０４に処理は移行し、認証が失敗すれば処理はステップＳ２０１に戻る。このようにすることにより、ユーザ名とパスワードの入力待ちになり、次の操作を行えないようになっている。
【００４１】
ステップＳ２０４では、画像送信装置の使用権を与えるべく操作画面が開放される。ステップＳ２０４では、認証の結果特定した使用者のメールアドレスが認証サーバ１０９からＬＤＡＰ通信プロトコルを用いて取得される。
【００４２】
ステップＳ２０５では、スキャナの読み込み解像度の指定や電子メール送信時の宛先指定などがユーザによって指示される。画像を読み取り送信するための宛先は入力装置１０４によって入力される（宛先入力処理）。ここでは、ユーザによる操作によって数字ボタンやアルファベットボタンを用いて１文字ずつ、あるいは予め“.co.jp”や“.com”などのように使用頻度の高い数文字分を一度に入力するボタンによって入力する。または、外部記憶装置１０５に複数のアドレスを登録したアドレス帳から所望のアドレスを選択することによって入力を行う。なお、ステップＳ２０５では宛先を１件も入力せず処理を終えることも許可されている。
【００４３】
ステップＳ２０６では、ステップＳ２０５で宛先が１件も指定されなかったかどうかが判断される。１件も指定されていなければ処理はステップＳ２０７に移行し、１件以上指定されていれば処理はステップＳ２０９に移行する。
【００４４】
ステップＳ２０７では画像読取装置１０７により画像が読み取られ、ステップＳ２０８ではステップＳ２０４で取得した使用者のメールアドレスに対して読み取った画像を送信する。この処理は、図８を用いて後述する。ステップＳ２０６、Ｓ２０７及びＳ２０８により１件も宛先を指定されないまま送信を行った場合には、認証した情報に基づいて自動的に認証された使用者のメールアドレスに画像が送信されるように制御される。
【００４５】
一方、ステップＳ２０９では、画像読取装置１０７により画像が読み取られ、ステップＳ２１０でステップＳ２０５で指定された宛先に対して読み取った画像が送信されるように制御される。送信終了後、ログイン時に指定したユーザ名、送信宛先情報、送信日付、送信時間、送信枚数、送信結果などがログに書き込まれる。ログが書き込まれると、送信結果を知らせる送信結果レポートが作成されるか、或いは、件数が一定以上溜まると作成される通信管理レポートが作成される。このレポートにはユーザ名が記入されているため、送信したＪＯＢの送信者を特定することができる。ログに書き込まれたデータは、入力装置１０４にリスト表示することもできる。また、登録データよりＨＴＭＬファイルを作成し、ＨＴＴＰサーバ機能を動作させることにより、ネットワーク上のクライアントＰＣのＷＷＷブラウザでユーザ名が記入された通信ログを表示することもできる。また、認証サーバ１０９がネットワーク上に接続された例を説明したが、ＭＦＰ内部に認証サーバ機能を取り込んでもよい。また、ＭＦＰ１台だけの場合はもちろん、複数のＭＦＰを設置する場合でも１台のＭＦＰで認証サーバ機能を動作させることで同様の効果が得られる。
【００４６】
画像が送信された後は、図８のログアウトキー８０９を押すことによりログアウト処理が実行されて処理は終了し、入力装置１０４ではユーザ名を入力する画面に戻る。
【００４７】
図８は、ステップＳ２０８又はステップＳ２０９において画像読取装置１０７で読み取った画像データを電子メールで送信する際に表示される入力装置１０４の送信設定画面である。読み取りサイズ８００は、画像読取装置１０７が読み込む原稿サイズを指定することができ、Ａ３、Ａ４、Ａ５、Ｂ４、Ｂ５、１１＊１７、ＬＴＲ、ＳＴＭＴなどの用紙サイズとその向きを指定することができる。図７では「自動」が設定され、画像読取装置１０７に存在する原稿検知センサーが検知した値で読み込まれる。解像度８０１は画像読取装置１０７が画像を読み込む際の解像度を指定することができ、２００＊１００、２００＊２００、２００＊４００、３００＊３００、４００＊４００、６００＊６００ｄｐｉから指定することができる。
【００４８】
図８ではデフォルト値の「２００＊２００」ｄｐｉが設定されている。詳細設定８０２では、スキャン時の濃度設定、原稿タイプ指定、両面読み込み、ページ連写指定、画質調整などのスキャン時の詳細動作を指定することができる。電子メールの送信宛先を指定する方法としては、２つの方法が存在する。宛先８０３よりユーザが過去に指定した宛先の履歴を有するアドレス帳に登録されている宛先から選択する方法と、ログインしたユーザの電子メールアドレスを送信宛先とする「自分自身に送信」ボタン８０６を選択する方法である。「自分自身に送信」ボタンは、画像読取装置１０７がユーザ認証を実行するモード（以下「ユーザ認証モード」という。）に設定されている場合にのみ表示されるか或いはアクティブにされる。
【００４９】
「アドレス帳」は、機器の各種設定情報を登録管理するユーザモード（図示せず）で送信宛先を管理するデータベースである。送信宛先の登録、変更、削除などはユーザモードで実行することができ、システム管理者権限がないユーザでも登録、変更、削除などの作業は実行することができる。送信宛先の電子メールアドレスはアドレス部分に表示され、選択にマークが付けられて宛先に電子メールが送信され、選択されたアドレスが宛先に表示され、電子メールのTo：フィールド記載される。モードは、送信宛先が一般の電子メール宛先に送ることを前提として送信するＥｍａｉｌ送信モードと、機器同士の送受信機能が存在するＩＦＡＸ装置に送信することを前提としたＩＦＡＸ送信モードとを指定することができる。Ｅｍａｉｌ送信宛先には、ＴＩＦＦ、ＪＰＥＧ、ＰＤＦの画像フォーマットで送信することが可能となるが、ＩＦＡＸ送信宛先にはＲＦＣ２３０１で規定されているＴＩＦＦファイルに限定される。送信画像もＥｍａｉｌ送信モードはスキャナで読み取った画像となるが、ＩＦＡＸ送信モードでは主走査の画素数が決められている。そのため、所定の画像変換と、送信した画像がどこからどこへ送信されたのかとが分かるように、送信宛先と送信元の電子メールアドレスと送信開始時間、ページ番号が記述された画像の付与が実施される。アドレス帳はユーザ認証を行わなくても全てのユーザが共用できるものと、各ユーザ毎のアドレス帳とを設けるようにしてもよい。共用できるアドレス帳は、当該装置をユーザ認証せずに用いる場合、そしてユーザ認証して用いる場合であっても全てのユーザが利用可能とする。また各ユーザ毎のアドレス帳は、ユーザ認証を行った場合に、当該ユーザ用のものを使用できるようにする。
【００５０】
「自分自身に送信」ボタン８０６を選択する場合には、ログインしたユーザの電子メールアドレスをサーバより取得し、取得した電子メールアドレスを電子メールのToフィールドに設定する。送信宛先はログインしたユーザ名であるため、ログインしたユーザが異なれば送信宛先も変化することになる。このボタンが選択されると、ボタンはグレー表示になり、ボタンを押す毎に選択／非選択が切り替わる。Subject８０４、本文８０５は送信する電子メールに付ける件名とメール本文であり、各設定欄を選択するとソフトキーボードが表示され、文字列を入力することができる。スタートキー８０７は入力装置１０４の横に設置されているハードキーであり、このキーを押すことにより画像読取装置１０７を駆動することができる。スタートキー８０７の中央には青と赤のＬＥＤ８０８が実装され、送信宛先が１つも指定されていない場合、赤色のＬＥＤが点灯しスタートキー８０７を押しても画像読取装置１０７が駆動することはできない状態であることをユーザに知らせる。送信宛先を１つでも指定すると青のＬＥＤが点灯しスキャナを駆動することができる状態になったことをユーザに知らせる。従って、宛先８０３に送信宛先が指定されていない場合、「自分自身に送信」ボタン８０６が選択されると、スタートキー８０７の青色ＬＥＤが点灯しスキャンが可能となる。しかしながら、「自分自身に送信」ボタン８０６が非選択状態になると、スタートキー８０７の赤色のＬＥＤが点灯してスタートキー８０７を押しても画像読取装置１０７を駆動することはできない。ログアウト８０９を押すと入力装置１０４はユーザログイン画面になりログインしたユーザの操作は終了する。
【００５１】
以上のように、第１の実施形態によれば、認証処理を行うことによりセキュリティーが担保できる。また、所望の宛先に読み取った画像を送信できるとともに、たとえ宛先を指定しなくても自分自身には読み取った画像を送信することができるので、ユーザは煩雑な操作を省くことができ、非常に使い勝手の良い画像読取送信装置を実現することができる。
＜第２の実施形態＞
第２の実施形態に係る画像読取送信装置１００の構成は第１の実施形態に係るそれと同様であるので説明は省略する。
【００５２】
ここでは、図３を用いて第２の実施形態に係る画像読取送信装置の動作について詳細に説明する。
【００５３】
ステップＳ３０１においては、画像読取送信装置１００を使用するための使用権を認証するユーザ名とパスワードが入力装置１０４より入力される。ステップＳ３０２では、認証サーバ１０９による認証処理が実行される。
【００５４】
ステップＳ３０３では、ステップＳ３０２における認証が成功したかどうかが判断され、成功すれば処理はステップＳ３０４に移行して画像読取送信装置１００の使用権を与えるべく操作画面を開放する。認証に失敗したと判断されれば、処理はステップＳ３０１に戻り、再度ユーザ名とパスワードの入力待ちになることにより次の操作を行えないようにする。
【００５５】
そしてステップＳ３０４では、認証の結果特定した使用者のメールアドレスを前記認証サーバ１０９から取得する。ステップＳ３０５において、送信宛先が入力装置１０４若しくは表示装置１０３のタッチパネルより入力される。ステップＳ３０５では「自分自身へ送信」ボタンが表示装置１０３に表示されており、「自分自身へ送信」ボタンを押下することにより宛先文字列を入力することなく素早く自分自身の宛先を指示することができる。
【００５６】
ステップＳ３０６では、「自分自身へ送信」ボタンが押下されたかどうか判断され、押下されたと判断された場合、処理はステップＳ３０７に移行し、ステップＳ３０４で取得した、認証された使用者の宛先が送信宛先リストに追加される。
【００５７】
ステップＳ３０６で押下されなかったと判断された場合、処理はステップＳ３０８に移行し、そこで入力された文字列が送信宛先として送信宛先リストに追加される。
【００５８】
ステップＳ３０７、Ｓ３０８の処理を実行後、ステップＳ３０９で宛先指定処理が終了したかどうかが判断され、終了していなければ次の宛先を入力するためステップＳ３０５に処理が戻り、終了していればステップＳ３１０に処理が移行する。
【００５９】
ステップＳ３１０で画像読取装置１０７により画像が読み取られ、ステップＳ３１１でステップＳ３０５、Ｓ３０６、Ｓ３０７及びＳ３０８で指定された送信宛先リストに対して読み取った画像が送信される。
【００６０】
以上のように、第２の実施形態によれば、認証処理を行うことによりセキュリティーが担保できる。また、ボタンの押下操作１つで自分自身を画像の送信先に指定することができるので、ユーザは煩雑な操作を省くことができ、非常に使い勝手の良い画像読取送信装置を実現することができる。
＜第３の実施形態＞
第３の実施形態に係る画像読取送信装置１００の構成は第１の実施形態に係るそれと同様であるので説明は省略する。
【００６１】
ここでは、図４及び図５を用いて第３の実施形態に係る画像読取送信装置の動作について詳細に説明する。
【００６２】
図４は、画像読取送信装置１００を認証により使用者を特定して使用する場合の、使用者毎の固定設定を画像読み取り送信装置１００に保存するためのフローチャートである。
【００６３】
図４において、ステップＳ４０１では画像読取送信装置１００を使用するための使用権を認証するユーザ名とパスワードが入力装置１０４により入力される。ステップＳ４０２では、認証サーバ１０９による認証動作が実行される。
【００６４】
ステップＳ４０３において、認証が成功したかどうかが判断され、成功すれば処理はステップＳ４０４に移行し、画像読取送信装置１００の使用権を与えるべく操作画面が開放される。認証に失敗すれば、処理はステップＳ４０１に戻り、再度ユーザ名とパスワードの入力待ちになることにより次の操作を行えないようになされる。
【００６５】
ステップＳ４０４では、画像読取送信装置１００の外部記憶装置１０５に使用者毎に保存される使用者毎の固定設定が入力される。この使用者毎の固定設定では「自分自身の宛先をＣＣ宛先に自動入力」するかしないを設定することができる。
【００６６】
ステップＳ４０５において、ステップＳ４０４で入力した使用者毎の固定設定が「自分自身の宛先をＣＣ宛先に自動入力する」設定であるかどうかが判断される。固定設定がその「自動入力」設定に該当すれば、処理はステップＳ４０６に移行し、外部記憶装置１０５に認証された使用者の固定設定として「自分自身の宛先をＣＣに自動入力する」設定が保存される。固定設定がその「自動設定」に該当しないのであれば、処理はステップＳ４０７に移行し、外部記憶装置１０５に認証された使用者の固定設定として「自分自身の宛先をＣＣに自動入力しない」設定を保存し、図４の動作が終了する。なお、宛先はＣＣ（同報送信宛先）に設定しても良いし、ＢＣＣ（匿名同報送信宛先）に設定しても良い。
【００６７】
図５は第３の実施形態の主動作を説明するためのフローチャートである。
【００６８】
ステップＳ５０１において、画像読取送信装置１００を使用するための使用権を認証するユーザ名とパスワードが入力装置１０４より入力される。そして、ステップＳ５０２で認証サーバ１０９による認証動作が実行される。
【００６９】
ステップＳ５０３では、認証が成功したかどうかが判断される。認証が成功すれば処理はステップＳ５０４に移行し、画像読取送信装置１００の使用権を与えるべく操作画面が開放される。認証に失敗すれば、処理はステップＳ５０１に戻り再度ユーザ名とパスワードの入力待ちになることにより次の操作を行えないようになされる。
【００７０】
ステップＳ５０４では、認証の結果特定した使用者のメールアドレスが認証サーバ１０９から取得される。そして、ステップＳ５０５では、送信宛先が入力装置１０４若しくは表示装置１０３のタッチパネルより入力される。
【００７１】
そして、ステップＳ５０６では、入力された文字列が送信宛先として送信宛先リストに追加される。
【００７２】
また、ステップＳ５０７においては、宛先指定処理が終了したかどうかが判断され、終了していなければ次の宛先を入力するため処理がステップＳ５０５に戻る。宛先指定処理が終了していれば、処理はステップＳ５０８に移行する。ステップＳ５０８では、図４のフローチャートで保存した使用者毎の固定設定が参照される。そして、固定設定が「自分自身の宛先をＣＣ宛先に自動入力」となっている場合、処理はステップＳ５０９に移行し、送信宛先リストにステップＳ５０４で取得した使用者のメールアドレスが追加される。固定設定が「自分自身の宛先をＣＣ宛先に自動入力」となっていない場合には、ステップＳ５０９の処理はスキップされる。
【００７３】
さらに、ステップＳ５１０で画像読取装置１０７により画像が読み取られ、最後にステップＳ５１１でステップＳ５０５、Ｓ５０６、Ｓ５０７、Ｓ５０８及びＳ５０９で指定された送信宛先リストに対して読み取った画像が送信され、図５の動作が終了する。
【００７４】
以上のように、第３の実施形態によれば、認証処理を行うことによりセキュリティーが担保できる。また、固定設定の指定操作１つで自分自身を画像の送信先（ＣＣ）に指定することができるので、ユーザは煩雑な操作を省くことができ、非常に使い勝手の良い画像読取送信装置を実現することができる。
＜第４の実施形態＞
第４の実施形態に係る画像読取送信装置１００の構成は第１の実施形態に係るそれと同様である。しかしながら、第１乃至第３の実施形態と異なり、外部記憶装置１０５には認証データとしてユーザ名とパスワードとユーザのグループ情報とグループリーダのメールアドレスが保存されている。その結果、認証データに基づいて認証する認証サービスが機器内で稼動している。
【００７５】
以下、図６及び図７を用いて第４の実施形態に係る画像読取送信装置の動作について詳細に説明する。
【００７６】
図６は、画像読取送信装置１００を認証により使用者を特定して使用する場合の、機器の固定設定を前記画像読み取り送信装置に保存するためのフローチャートである。
【００７７】
図６の動作により機器を使用する場合は使用者が誰であれ必ず機器の固定設定が適用される。ここが、第３の実施形態とは異なるものである。この固定設定は使用者が使用者の権限では変更のできないものであり、管理者が管理者権限で認証した場合にのみ設定可能なものである。
【００７８】
図６において、ステップＳ６０１では、画像読取送信装置１００の機器の固定設定を変更するための管理者権限を認証する管理者ユーザ名と管理者パスワードが入力装置１０４により入力される。ステップＳ６０２では、管理者ユーザ名とパスワードを用いて認証サービスに対する認証動作（管理者認証）が実行される。
【００７９】
ステップＳ６０３では、認証が成功したかどうかが判断され、成功すれば処理はステップＳ６０４に移行し、画像読取送信装置１００の管理者使用権を与えるべく操作画面が開放される。認証に失敗すれば、処理はステップＳ６０１に戻り、再度管理者ユーザ名と管理者パスワードの入力待ちになることにより次の操作を行えないようになされる。
【００８０】
そして、ステップＳ６０４では、画像読取送信装置１００の外部記憶装置１０５に機器毎に保存される機器毎の固定設定が入力される。機器毎の固定設定は「グループリーダの宛先をＣＣ宛先に自動入力」するかしないかの設定に関連するものである。
【００８１】
ステップＳ６０５では、ステップＳ６０４で入力された機器毎の固定設定が「グループリーダの宛先をＣＣ宛先に自動入力する」設定であるかどうかが判断される。その固定設定が「自動入力」であれば、ステップＳ６０６において外部記憶装置１０５に機器の固定設定として「グループリーダの宛先をＣＣに自動入力する」設定（送信宛先情報設定）が保存される。その固定設定が「自動入力」が設定されていなければ、ステップＳ４０７で外部記憶装置１０５に機器の固定設定として「グループリーダの宛先をＣＣに自動入力しない」設定が保存され、図６の動作が終了する。なお、宛先はＣＣ（同報送信宛先）に設定しても良いし、ＢＣＣ（匿名同報送信宛先）に設定しても良い。
【００８２】
図７は、第４の実施形態の主動作を説明するためのフローチャートである。
【００８３】
ステップＳ７０１では、画像読取送信装置１００を使用するための使用権を認証するユーザ名とパスワードが入力装置１０４より入力される。ステップＳ７０２では、ユーザ名とパスワードを用いて認証サービスに対する認証動作が実行される。
【００８４】
ステップＳ７０３では、認証が成功したかどうかが判断される。認証が成功すれば処理はステップＳ７０４に移行し、画像読取送信装置１００の使用権を与えるべく操作画面が開放される。認証に失敗すれば、処理はステップＳ７０１に戻り、再度ユーザ名とパスワードの入力待ちになることにより次の操作を行えないようになされる。
【００８５】
ステップＳ７０４では、認証の結果特定した使用者のグループリーダのメールアドレスが認証サービスから取得される。ステップＳ７０５では、送信宛先が入力装置１０４か表示装置１０３のタッチパネルより入力（送信宛先指定）される。
【００８６】
ステップＳ７０６では入力された文字列が送信宛先として送信宛先リストに追加される。ステップＳ７０７では、宛先指定処理が終了したかどうかが判断される。宛先指定処理が終了していなければ次の宛先を入力するため処理はステップＳ７０５に戻る。宛先指定処理が終了していれば、処理はステップＳ７０８に移行する。
【００８７】
ステップＳ７０８では、図６のフローチャートで保存した機器の固定設定が参照される。固定設定が「グループリーダの宛先をＣＣ宛先に自動入力」となっている場合には、処理はステップＳ７０９に移行し、送信宛先リストにステップＳ７０４で取得された使用者のグループリーダのメールアドレスが追加される。固定設定が「グループリーダの宛先をＣＣ宛先に自動入力となっていない場合には、ステップＳ７０９の処理はスキップされる。
【００８８】
そして、ステップＳ７１０で画像読取装置１０７により画像が読み取られ、最後にステップＳ７１１で、ステップＳ７０５、Ｓ７０６、Ｓ７０７、Ｓ７０８及びＳ７０９で指定された送信宛先リストに対して読み取った画像が送信され、図７の動作が終了する。
【００８９】
以上より、第４の実施形態によれば、管理者のみが変更することのできる機器の固定設定に従って、画像読取送信時に自動的にかつ強制的にグループリーダが宛先に追加される。その結果、画像読取送信でどのような内容の画像を送信したかがグループリーダに必ず送信されることとなり、秘密裏に重要な画像情報が送信されるようなセキュリティーホールを防ぐことができる。
＜第５の実施形態＞
第５の実施形態に係る画像読取送信装置１００の構成は第１の実施形態に係るそれと同様であるので説明は省略する。
【００９０】
ここでは、図９を用いて第５の実施形態に係る画像読取送信装置の動作について詳細に説明する。
【００９１】
ステップＳ９０１では、ユーザ認証を行う「ユーザ認証モード」に設定されているか否かを判断する。「ユーザ認証モード」に設定されていれば（ステップＳ９０１で「ＹＥＳ」）、ステップＳ９０２に進み、「ユーザ認証モード」に設定されていなければ（ステップＳ９０１で「ＮＯ」）、ステップＳ９０６に進む。
【００９２】
ステップＳ９０２では、画像読取送信装置１００を使用するための使用権を認証するユーザ名とパスワードが入力装置１０４より入力される。
【００９３】
ステップＳ９０３では、認証サーバ１０９により認証処理が実行される。
【００９４】
ステップＳ９０４では、ステップＳ９０３における認証が成功したかどうかが判断され、認証に成功すれば（ステップＳ９０４で「ＹＥＳ」）、処理はステップＳ９０５に移行し、画像読取送信装置１００の使用権を与えるべく操作画面を開放する。認証に失敗したと判断されれば（ステップＳ９０４で「ＮＯ」）、処理はステップＳ９０２に戻り、再度ユーザ名とパスワードの入力待ちになることにより次の操作を行えないようにする。
【００９５】
ステップＳ９０５では、認証の結果特定した使用者のメールアドレスを前記認証サービスから取得し、「自分自身へ送信」ボタンが表示装置１０３に表示される。「自分自身へ送信」ボタンを押下することにより宛先文字列を入力することなく素早く自分自身の宛先を指示することができる。
【００９６】
ステップＳ９０６では、入力装置１０４又は表示装置１０３のタッチパネルにより送信宛先が入力されることにより宛先が指示されるか、又は、ステップＳ９０５の「自分自身へ送信」ボタンを押下することにより宛先が指示される。
【００９７】
ステップＳ９０７では、「自分自身へ送信」ボタンが押下されたかどうか判断される。押下されたと判断された場合には（ステップＳ９０７で「ＹＥＳ」）、処理はステップＳ９０８に移行し、ステップＳ９０５で取得した、認証された使用者の宛先が送信宛先リストに追加される。ステップＳ９０７で押下されなかったと判断された場合には（ステップＳ９０７で「ＮＯ」）、処理はステップＳ９０９に移行し、ステップＳ９０６で入力された文字列が送信宛先として送信宛先リストに追加される。
【００９８】
ステップＳ９０８、Ｓ９０９の処理を実行後、ステップＳ９１０で宛先指定処理が終了したかどうかが判断され、終了していなければ次の宛先を指示するためステップＳ９０６に処理が戻り、終了していればステップＳ９１１に処理が移行する。
【００９９】
ステップＳ９１１で画像読取装置１０７により画像が読み取られ、ステップＳ９１２でステップＳ９０６、Ｓ９０７、Ｓ９０８及びＳ９０９で指定された送信宛先リストに対して読み取った画像が送信される。
【０１００】
以上のように、第５の実施形態によれば、「ユーザ認証モード」に設定されているか否かに応じて、「自分自身へ送信」ボタンの表示を切り替えることができ、動作モードに応じた利便性の高い画像読取送信装置を実現することができる。
【０１０１】
また、このように「ユーザ認証モード」に設定されていない場合、「自分自身へ送信」ボタンを非表示とするのに代えて、当該ボタンの表示はするが、それを操作できない状態とするようにしてもよい。この場合、操作できる状態の場合と表示形態を異ならせるようにするのが好ましい。
【０１０２】
また、例え、ユーザ認証モードが設定されていても、認証ユーザに対応付けたアドレスが登録されていなかった場合も「自分自身に送信」ボタンを非表示としたり、操作できない状態にするようにしてもよい。
【０１０３】
また、以上の実施形態では、「自分自身に送信」ボタンを押下することにより、認証ユーザに対応付けられているアドレスを自動的にセットするようにしたが、次のようにしてもよい。ユーザ認証を行った後、何ら宛先を指定する操作がなされずに送信指示（スタートキーの押下）がなされた場合、認証ユーザに対応付けられているアドレスを自動的に設定して送信を実行するようにしてもよい。
【０１０４】
また、ユーザ認証を行って実行した操作内容を、ユーザ毎に外部記憶装置１０５等に履歴として記憶しておき、ユーザ認証を行った場合にこの記憶した情報を再利用できるようにしてもよい。即ち、ユーザ認証を行った場合、所定の操作により当該ユーザが過去に指定した送信宛先（アドレス帳からの選択、あるいはソフトキーボードで入力した宛先）を例えば５〜１０個表示し、その中から送信宛先を指定可能としてもよい。
【０１０５】
以上のような実施形態により、画像読取送信装置において画像を送信する際の操作性を著しく向上させることが可能となる。
【０１０６】
また、以上の実施形態では、スキャナによって原稿上の画像を読み取って得た画像データを送信する場合を例に説明したが、スキャナからの画像データに代えて、外部記憶装置１０５に保存されている画像データを指定し、送信するようにしてもよい。外部記憶装置１０５に保存されるデータとしては、ネットワークを介して受信したＰＤＬデータ等の印刷データ及びＩＦＡＸ機能によって電子メールプロトコルによって受信した電子メールデータに含まれている添付画像ファイルデータを採用することができる。また、ファクシミリ機能によってＧ３等の手順によって受信した画像データ及びスキャナによって予め保存しておいた画像データ等を採用することもできる。
【０１０７】
また、外部記憶装置１０５は複数のメモリボックスによって区別されており、所望のメモリボックスを選択し、それに引き続き当該メモリボックス内の所望の画像データを指定することが可能である。また、ユーザ認証により、当該ユーザのみが操作できるメモリボックスを表示させ、その中から所望の画像データを選択するようにしてもよい。
＜その他の実施形態＞
上記実施形態の機能を実現するソフトウェアのプログラムコードを記録した記憶媒体をシステム或は装置に提供してもよい。本発明は、そのシステム或は装置のコンピュータ（又はＣＰＵやＭＰＵ）が、記憶媒体に格納されたプログラムコードを読み出し実行することによっても達成されるからである。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、以下のものが挙げられる。例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどである。
【０１０８】
また、コンピュータが読み出したプログラムコードを実行することにより、前述した実施の形態の機能が実現される。さらに、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれる。
【０１０９】
さらに、記憶媒体から読み出されたプログラムコードが、コンピュータに挿入された機能拡張ボードやコンピュータに接続された機能拡張ユニットに備わるメモリに書きこまれる。そして、そのプログラムコードの指示に基づいて、その機能拡張ボードや機能拡張ユニットに備わるＣＰＵなどが実際の処理の一部又は全部を行い、その処理によって前述した実施の形態の機能が実現される場合も含まれる。
【０１１０】
また、上記実施の形態の機能を実現するソフトウェアのプログラムコードがネットワークを介して配信されることにより、システム又は装置のハードディスクやメモリ等の記憶手段又はＣＤ−ＲＷ、ＣＤ−Ｒ等の記憶媒体に格納される。そして、そのシステム又は装置のコンピュータ（又はＣＰＵやＭＰＵ）が当該記憶手段や当該記憶媒体に格納されたプログラムコードを読み出して実行することによっても達成されうる。
【図１Ａ】
2010220256.tif 000003
【図１Ｂ】
2010220256.tif 000004
【図２】
2010220256.tif 000005
【図３】
2010220256.tif 000006
【図４】
2010220256.tif 000007
【図５】
2010220256.tif 000008
【図６】
2010220256.tif 000009
【図７】
2010220256.tif 000010
【図８】
2010220256.tif 000011
【図９】
2010220256.tif 000012
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
画像を入力する入力手段と、
前記入力手段により入力された画像を送信する送信手段と、
使用者を認証する認証手段と、
前記認証手段により認証された使用者の宛先情報を取得する取得手段と、
前記認証手段により認証された使用者からの宛先情報の指定を受け付ける受付手段と、
前記受付手段が前記認証手段により認証された使用者からの宛先情報の指定を受け付けた場合には、当該認証された使用者が指定した宛先情報を送信宛先として前記入力された画像を送信し、前記受付手段が前記認証手段により認証された使用者からの宛先情報の指定を受け付けなかった場合には、前記取得手段が取得した宛先情報を送信宛先として前記入力された画像を送信するように前記送信手段を制御する制御手段と、
を備えることを特徴とする画像送信装置。
【請求項２】
前記認証手段によって認証される各使用者の宛先情報を記憶する記憶手段を更に備え、
前記取得手段は、前記認証手段により認証された使用者の宛先情報を前記記憶手段から取得することを特徴とする請求項１に記載の画像送信装置。
【請求項３】
前記取得手段は、前記認証手段による使用者の認証が成功したことに応じて、当該認証された使用者の宛先情報を取得することを特徴とする請求項１又は２に記載の画像送信装置。
【請求項４】
前記入力手段は、原稿上の画像を読み取って入力することを特徴とする請求項１乃至３のうちいずれか１項に記載の画像送信装置。
【請求項５】
前記宛先情報とは、電子メールアドレスであり、
前記送信手段は、前記入力された画像を電子メールに添付して送信することを特徴とする請求項１乃至４のうちいずれか１項に記載の画像送信装置。
【請求項６】
画像を送信する画像送信装置の制御方法であって、
前記画像送信装置の入力手段が、画像を入力する入力工程と、
前記画像送信装置の送信手段が、前記入力工程で入力された画像を送信する送信工程と、
前記画像送信装置の認証手段が、使用者を認証する認証工程と、
前記画像送信装置の取得手段が、前記認証工程で認証された使用者の宛先情報を取得する取得工程と、
前記画像送信装置の受付手段が、前記認証工程で認証された使用者からの宛先情報の指定を受け付ける受付工程と、
前記画像送信装置の制御手段が、前記受付工程で前記認証工程で認証された使用者からの宛先情報の指定を受け付けた場合には、当該認証された使用者が指定した宛先情報を送信宛先として前記入力された画像を送信し、前記受付工程で前記認証工程で認証された使用者からの宛先情報の指定を受け付けなかった場合には、前記取得工程で取得した宛先情報を送信宛先として前記入力された画像を送信するように前記送信工程を制御する制御工程と、
を備えることを特徴とする画像送信装置の制御方法。
【請求項７】
請求項６に記載の画像送信装置の制御方法をコンピュータに実行させるためのプログラム。
【手続補正３】
【補正対象書類名】明細書
【補正対象項目名】０００８
【補正方法】変更
【補正の内容】
【０００８】
上記課題を解決するために、本発明による画像送信装置は、画像を入力する入力手段と、前記入力手段により入力された画像を送信する送信手段と、使用者を認証する認証手段と、前記認証手段により認証された使用者の宛先情報を取得する取得手段と、前記認証手段により認証された使用者からの宛先情報の指定を受け付ける受付手段と、前記受付手段が前記認証手段により認証された使用者からの宛先情報の指定を受け付けた場合には、当該認証された使用者が指定した宛先情報を送信宛先として前記入力された画像を送信し、前記受付手段が前記認証手段により認証された使用者からの宛先情報の指定を受け付けなかった場合には、前記取得手段が取得した宛先情報を送信宛先として前記入力された画像を送信するように前記送信手段を制御する制御手段と、を備えることを特徴とする。